(57)【要約】【課題】被写体光がハーフミラーを通過することによって生じる光路長差を減殺する光学部材をハーフミラーとテレビカメラとの間に設置することにより、撮影画像に色の滲みが発生するのを防止できるプロンプター装置を提供する。【解決手段】ハーフミラー２０とＥＮＧカメラ１４との間にコートガラス２４を配置する。コートガラス２４は、反射防止膜がコーティングされたガラス板で構成され、ハーフミラー２０と逆方向に所定角度傾斜させて設置する。被写体光が、ハーフミラー２０を通過することによって生じる光路長差は、コートガラス２４を通過することによって相殺され、結果として、色の滲みの発生しない画像が撮影される。【選択図】      図１
2006060365.tif 000002
【特許請求の範囲】
【請求項１】
モニタに表示された画像をテレビカメラの前面に所定角度傾斜させて配置したハーフミラーで前記テレビカメラの前方に反射させるプロンプター装置において、
前記ハーフミラーを通過した光に生じる光路長の差を減じる光学部材を前記ハーフミラーと前記テレビカメラとの間に配置したことを特徴とするプロンプター装置。
【請求項２】
前記光学部材は、反射防止膜がコーティングされた所定厚さを有する板ガラスで構成され、前記ハーフミラーと逆方向に所定角度傾斜して設置されることを特徴とする請求項１に記載のプロンプター装置。
【請求項３】
モニタに表示された画像をテレビカメラの前面に所定角度傾斜させて配置したハーフミラーで前記テレビカメラの前方に反射させるプロンプター装置において、
白色のチャートを前記テレビカメラで撮影した際、該テレビカメラで撮影される画像の色を均一にするフィルタ部材を前記ハーフミラーと前記テレビカメラとの間に設けたことを特徴とするプロンプター装置。
【発明の詳細な説明】
【技術分野】
【０００１】
本発明はプロンプター装置に係り、特にＨＤＴＶ（High Definition TeleVision：高品位テレビ）カメラ用のプロンプター装置に関する。
【背景技術】
【０００２】
プロンプター装置は、キャスター等の原稿読上者が、あたかも原稿を暗記して読み上げているかのように、目線をテレビカメラに向けながら原稿を読上げることができるようにした装置である。
【０００３】
一般的なプロンプター装置は、テレビカメラの前方にハーフミラーが４５度傾斜して配置され、そのハーフミラーの下方に原稿表示用のモニタが表示面を上側にして配置される。被写体光は、ハーフミラーを通過して撮影レンズに入射する一方、モニタに原稿画像が表示されると、その原稿画像がハーフミラーを介してカメラ前方に反射され、原稿読上者に視認できるようになる（たとえば、特許文献１参照）。
【特許文献１】特開２００３−６０９３８号公報
【発明の開示】
【発明が解決しようとする課題】
【０００４】
しかしながら、プロンプター装置を用いてワイド画角で撮影すると、ハーフミラーの上部を通過する光線が、ハーフミラーに対して鋭角で入射するようになり、この結果、図５に示すように、カメラで撮影される画像の上部に色の滲みが出るという欠点がある。
【０００５】
すなわち、図６に示すように、ハーフミラーの下部では垂直に近い状態で光線が入射されるため、垂直に入射した光に対して光路長の差は、ほとんどないが、ハーフミラーの上部では水平に近い状態で光線が入射されるため、ハーフミラーの厚みの影響によって垂直に入射した光に対して光路長の差が大きくなってしまうこと、また、ハーフミラーのコーティングの特性上、入射角依存性による光線角度によって周波数特性がズレること、さらに色調整はテレ側の画角で行っていることにより、ワイド画角で撮影した際、撮影画像の上部に色の滲みが出てしまう。
【０００６】
特にＨＤＴＶカメラの場合、ＳＤＴＶ（ Standard Definition TeleVision ：標準品位テレビ）カメラよりも色の性能が向上しているため、この問題が顕著になっている。
【０００７】
また、ＨＤＴＶカメラの場合、ＳＤＴＶカメラよりもワイドな画角で撮影されることから、ＳＤＴＶカメラ用のものよりも大きなハーフミラーが用いられており、その強度を確保するためにＳＤＴＶカメラ用のものよりも厚いものが用いられている。この結果、更に光路長に差が生じるようになり、色が付きやすくなるという欠点がある。
【０００８】
本発明はこのような事情に鑑みてなされたもので、撮影画像に色の滲みが発生するのを防止できるプロンプター装置を提供することを目的とする。
【課題を解決するための手段】
【０００９】
請求項１に係る発明は、前記目的を達成するために、モニタに表示された画像をテレビカメラの前面に所定角度傾斜させて配置したハーフミラーで前記テレビカメラの前方に反射させるプロンプター装置において、前記ハーフミラーを通過した光に生じる光路長の差を減じる光学部材を前記ハーフミラーと前記テレビカメラとの間に配置したことを特徴とするプロンプター装置を提供する。
【００１０】
本発明によれば、ハーフミラーとテレビカメラとの間に配置された光学部材を被写体光が通過することにより、ハーフミラーを通過することによって生じた光路長の差が減殺される。これにより、撮影画像に色の滲みが発生するのを防止できる。
【００１１】
また、請求項２に係る発明は、前記目的を達成するために、前記光学部材は、反射防止膜がコーティングされた所定厚さを有する板ガラスで構成され、前記ハーフミラーと逆方向に所定角度傾斜して設置されることを特徴とする請求項１に記載のプロンプター装置を提供する。
【００１２】
本発明によれば、ハーフミラーを通過した光に生じる光路長の差を減じる光学部材として、反射防止膜がコーティングされた所定厚さを有する板ガラスが、ハーフミラーと逆方向に所定角度傾斜して設置される。これにより、テレビカメラの撮影レンズに入射する光の光路長が均一になり、色の滲みの発生を防止できる。すなわち、ハーフミラーとほぼ同じ条件で逆方向に傾斜した光学部材を光が通過することにより、ハーフミラーを通過した時に生じた光路長の差が相殺され、結果として均一化される。
【００１３】
また、請求項３に係る発明は、前記目的を達成するために、モニタに表示された画像をテレビカメラの前面に所定角度傾斜させて配置したハーフミラーで前記テレビカメラの前方に反射させるプロンプター装置において、白色のチャートを前記テレビカメラで撮影した際、該テレビカメラで撮影される画像の色を均一にするフィルタ部材を前記ハーフミラーと前記テレビカメラとの間に設けたことを特徴とするプロンプター装置を提供する。
【００１４】
本発明によれば、ハーフミラーとテレビカメラとの間にフィルタ部材を配置することによって、撮影画像の上部に生じる色の滲みを除去する。すなわち、ハーフミラーを通すことによって撮影画像の上部に色の滲みが発生するが、その色の滲みが出ていない部分に対してフィルタ部材で発生した色と同じ色に着色することにより、全体として均一な色にして、色の滲みを取り去る。このように着色した場合であっても、テレビカメラ側で画面全体に対して色の補正をかけることにより、色の滲みのないクリアな映像を撮影することができる。
【発明の効果】
【００１５】
本発明に係るプロンプター装置によれば、テレビカメラで撮影される画像に色の滲みが発生するのを防止できる。
【発明を実施するための最良の形態】
【００１６】
以下、添付図面に従って本発明に係るプロンプター装置を実施するための最良の形態について詳説する。
【００１７】
図１は本発明に係るプロンプター装置の第１の実施の形態を示す側面図である。同図に示すように、本実施の形態のプロンプター装置１０は、ＨＤＴＶ対応のＥＮＧカメラ１４に使用されるプロンプター装置であって、プロンプター保持台１２を介してＥＮＧカメラ１４の手前に設置される。
【００１８】
プロンプター保持台１２は、図示しない三脚に雲台を介して設置されており、このプロンプター保持台１２の先端部に形成されたプロンプター保持部１２Ａにプロンプター装置１０が着脱自在に取り付けられる。また、このプロンプター保持台１２の後端部に形成されたカメラ保持部１２ＢにＥＮＧカメラ１４が着脱自在に取り付けられる。
【００１９】
プロンプター装置１０は、装置本体１６にモニタ１８、ハーフミラー２０、遮光カバー２２、コートガラス２４が備えられて構成されている。
【００２０】
装置本体１６は、箱状に形成されており、プロンプター保持台１２のプロンプター保持部１２Ａに着脱自在に取り付けられる。この装置本体１６には、図示されていないが、電源スイッチやモニタ１８に映し出す映像の入力端子等が設けられている。
【００２１】
モニタ１８は、表示面を上側にして装置本体１６に設けられている。このモニタ１８は、装置本体１６をプロンプター保持台１２に取り付けることにより、ＥＮＧカメラ１４の前方下側に水平に配置される。
【００２２】
ハーフミラー２０は、モニタ１８の上方に４５度傾けられて配置されている。このハーフミラー２０は、所定厚さの板ガラスにハーフミラー膜と反射防止膜をコーティングして構成されており、遮光カバー２２の内側に固定されている。
【００２３】
遮光カバー２２は、ハーフミラー２０の上面と背面と両側面を覆うように形成されており、装置本体１６に立設された支柱２０Ａに上下動自在に取り付けられている。この遮光カバー２２の背面にはＥＮＧカメラ１４の撮影レンズ１４Ａを嵌入可能な開口部が形成されており、この開口部にＥＮＧカメラ１４の撮影レンズ１４Ａの先端部が嵌入される。
【００２４】
コートガラス２４は、ハーフミラー２０の後方に所定角度傾斜させて配置されている。このコートガラス２４は、所定厚さの板ガラスに反射防止膜をコーティングして構成されており、遮光カバー２２の内側に固定されている。
【００２５】
このようにして取り付けられたコートガラス２４は、被写体光がハーフミラー２０を通過することによって生じる光路長の差を相殺するように作用する。すなわち、ハーフミラー２０と逆方向に傾斜させることにより、ハーフミラー２０を被写体光が通過した際に生じた光路長の差を相殺し、光路長を均一にするように作用する。
【００２６】
したがって、コートガラス２４にはハーフミラー２０と同じ構成のもの（同じコーティングで同じ厚さのもの）用いて、ハーフミラー２０の逆方向に４５度傾けて設置することが好ましいが、本実施の形態では、光の利用効率と設置スペース（ハーフミラー２０と撮影レンズ１４Ａとの間の空間）を考慮して、少なくとも反射防止膜をコーティングした板ガラスを用いて、ハーフミラー２０の逆方向に所定角度傾斜させて設置している。なお、このコートガラス２４の傾斜角度は、可能な限りハーフミラー２０の逆方向の傾斜角度に近づけることが好ましい。
【００２７】
前記のごとく構成された本実施の形態のプロンプター装置１０の作用は次のとおりである。
【００２８】
プロンプター保持台１２を雲台を介して三脚に設置し、そのプロンプター保持台１２のカメラ保持部１２ＢにＥＮＧカメラ１４とプロンプター装置１０をセットする。このように取り付けられたプロンプター装置１０は、そのハーフミラー２０がＥＮＧカメラ１４の手前に配置されるとともに、モニタ１８がＥＮＧカメラ１４の前方下側に配置される。そして、コートガラス２４が、ハーフミラー２０とＥＮＧカメラ１４の間に配置される。
【００２９】
この状態で撮影を行うと、被写体光がハーフミラー２０とコートガラス２４を通過して撮影レンズに入射され、被写体像が撮影される。
【００３０】
一方、モニタ１８に原稿画像を表示させると、その原稿画像がハーフミラー２０を介してカメラ前方に反射され、原稿読上者に視認できるようになる。
【００３１】
さて、被写体光は、上記のようにハーフミラー２０とコートガラス２４を通過して撮影レンズに入射されるが、ハーフミラー２０を通過する際、ハーフミラー２０が傾斜して設置されていることにより、ハーフミラー２０の上部と下部で光路長に差が生じる。
【００３２】
しかしながら、本実施の形態のプロンプター装置１０では、ハーフミラー２０の後段にハーフミラー２０と逆方向に傾斜したコートガラス２４が設置されているため、ハーフミラー２０を通過することによって、光路長に差が生じた場合であっても、このコートガラス２４を通過することによって、光路長の差が相殺され、光路長が全体として均一化される。
【００３３】
この結果、光路差に基づく撮影画像上部の色の滲みの発生が抑制され、画面全体にクリアな映像を撮影できるようになる。
【００３４】
なお、上述したように、コートガラス２４は、必ずしもハーフミラー２０と同じ構成のものを用いる必要はなく、光の利用効率を考慮して、少なくとも反射防止膜がコーティングされた板ガラスを用いればよい。
【００３５】
また、コートガラス２４の厚さも必ずしもハーフミラー２０と同じである必要はなく、表面に施されるコーティングと共に光路長を相殺できる厚さにすることが好ましい。
【００３６】
また、コートガラス２４の設置角度も必ずしもハーフミラー２０と同じ角度にする必要はなく、設置スペースを考慮して、ハーフミラー２０の角度に近づけて設置することが好ましい。
【００３７】
なお、ハーフミラー２０の板厚ｔ1 とコートガラス２４の板厚ｔ2 が同じであれば、図１に示すように、ハーフミラー２０の上部に入射する光線の入射角θ1 とコートガラス２４の上部に入射する光線の入射角θ2 との和（θ1 ＋θ2 ）が、ハーフミラー２０の下部に入射する光線の入射角θ3 とコートガラス２４の下部に入射する光線の入射角θ4 の和（θ3 ＋θ4 ）が、同じ（θ1 ＋θ2 ＝θ3 ＋θ4 ）になるようにコートガラス２４の設置角度を設定することが好ましい。これにより、ハーフミラー２０の上部を通過する光線と下部を通過する光線の光路長が等しくなり、全体に色の滲みのないクリアな映像を撮影することができるようになる。
【００３８】
また、ハーフミラー２０の板厚ｔ1 とコートガラス２４の板厚ｔ2 とが異なる場合には、ｔ2 ／ｔ1 の係数をコートガラス２４の上部に入射する光線の入射角θ2 と、コートガラス２４の下部に入射する光線の入射角θ4 に乗じてコートガラス２４の設置角度を設定することができる。たとえば、コートガラス２４の板厚ｔ2 をハーフミラー２０の板厚ｔ1 の２倍にした場合には、コートガラス２４の上部に入射する光線の入射角θ2 と、コートガラス２４の下部に入射する光線の入射角θ4 とを２倍にすることができる。そして、このようにコートガラス２４の板厚ｔ1 をハーフミラー２０の板厚ｔ1 よりも厚くすることにより、コートガラス２４を垂直に近づけて設置できるようになり、更なるコンパクト化が可能になる。
【００３９】
図２は、本発明に係るプロンプター装置の第２の実施の形態を示す側面図である。
【００４０】
同図に示すように、本実施の形態のプロンプター装置３０は、コートガラスに代えてフィルタ３２が配置されている点で上述した第１の実施の形態のプロンプター装置１０と相違している。これ以外の構成は上述した第１の実施の形態のプロンプター装置１０と同じである。したがって、第１の実施の形態のプロンプター装置１０と同じ構成部材には、同じ符号を付して、その説明は省略する。
【００４１】
フィルタ３２は、ＥＮＧカメラ１４に装着された撮影レンズ１４Ａの先端部に着脱自在に取り付けられる。撮影レンズ１４Ａの先端部内周には、図示しない雌ネジ部が形成されており、この雌ネジ部にフィルタ３２の後端部に形成された図示しない雄ネジ部を螺合させることにより、フィルタ３２が撮影レンズ１４Ａに着脱自在に取り付けられる。
【００４２】
このフィルタ３２は、図３に示すように、グラデーションが付けられたカラーフィルターで構成されており、白色のチャートを撮影した際、その撮影画像の色が均一になるように作用する。
【００４３】
すなわち、上記のようにフィルタ３２がない場合、ＥＮＧカメラ１４に撮影される画像は、図５に示すように、画面の上辺部に色の滲みが発生する。フィルタ３２は、この画面上辺部に発生する色と同じ色を、撮影画像の色の滲みが出ていない部分に強制的に付け、画面全体の色を均一にする。このため、フィルタ３２は、図３に示すように、色の滲みが出ていない部分に、色の滲みが出た部分と同じ色が付くように、下辺部から上辺部に向かってグラデーションが付けられたカラーフィルタで構成されている。
【００４４】
前記のごとく構成された本実施の形態のプロンプター装置３０の作用は、次のとおりである。
【００４５】
上述した第１の実施の形態のプロンプター装置１０と同様にモニタ１８に原稿画像を表示させると、その原稿画像がハーフミラー２０を介してカメラ前方に反射され、原稿読上者に視認できるようになる。
【００４６】
一方、被写体光は、ハーフミラー２０とコートガラス２４を通過して撮影レンズに入射され、ＥＮＧカメラ１４に撮影される。
【００４７】
ここで、フィルタ３２がない場合、ＥＮＧカメラ１４に撮影される画像は、図４（ａ）に示すように、画面上辺部に色の滲みが発生する。
【００４８】
一方、フィルタ３２のみを通して撮影される画像は、図４（ｂ）に示すように、フィルタ３２がない場合と正反対の画像が撮影される。すなわち、色の滲みが発生していない部分に、発生した色と同じ色が付けられた画像が撮影される。
【００４９】
この結果、ハーフミラー２０とフィルタ３２を通して画像を撮影すると、図４（ｃ）に示すように、全体に同じ色がついた画像が撮影される。
【００５０】
このように撮影された画像は、ＥＮＧカメラ側で画像処理を施し、色補正することにより、画面全体に色滲みのないクリアな映像にすることができる。
【００５１】
以上説明したように、本実施の形態のプロンプター装置３０によれば、上述した第１の実施の形態と同様に画面全体にクリアな映像を撮影できるようになる。
【００５２】
なお、本実施の形態では、撮影レンズ１４Ａの先端にフィルタ３２を取り付けているが、フィルタ３２の取り付け位置は、これに限定されるものではない。
【００５３】
また、上述した実施の形態では、本発明に係るプロンプター装置をＨＤＴＶ対応のＥＮＧカメラに使用する場合を例に説明したが、本発明の適用はこれに限定されるものではなく、ＳＤＴＶカメラにも適用することができる。
【図面の簡単な説明】
【００５４】
【図１】本発明に係るプロンプター装置の第１の実施の形態を示す側面図
【図２】本発明に係るプロンプター装置の第２の実施の形態を示す側面図
【図３】フィルタの正面図
【図４】第２の実施の形態のプロンプター装置の作用の説明図
【図５】従来のプロンプター装置で撮影される画像の説明図
【図６】従来のプロンプター装置の説明図
【符号の説明】
【００５５】
１０…プロンプター装置、１２…プロンプター保持台、１４…ＥＮＧカメラ、１６…装置本体、１８…モニタ、２０…ハーフミラー、２２…遮光カバー、２４…コートガラス、３０…プロンプター装置、３２…フィルタ
【図１】
2006060365.tif 000003
【図２】
2006060365.tif 000004
【図３】
2006060365.tif 000005
【図４】
2006060365.tif 000006
【図５】
2006060365.tif 000007
【図６】
2006060365.tif 000008